(57)【特許請求の範囲】
【請求項１】
（１）水素炎を形成することのできる水素バーナー；
（２）薄層クロマトグラフィー要素のクロマトグラフィー担体上に分離されている分析対象物質を、前記水素バーナーで形成される水素炎によって順次燃焼させることができるように、前記薄層クロマトグラフィー要素及び／又は前記水素バーナーを所定速度で移動させることのできる移動手段；
（３）前記水素炎から発生する光を分光することのできる分光手段；
（４）前記分光手段により分光された光の強度を分析することのできる光分析手段；
（５）前記水素バーナーにより形成される水素炎と前記分光手段との間に設けられた光導波路；及び
（６）水素炎イオン化分析器
を含むことを特徴とする、薄層クロマトグラフ用水素炎光度分析器。
【請求項２】
薄層クロマトグラフィー要素及び／又は前記水素バーナーを所定速度で移動させることによって、前記薄層クロマトグラフィー要素のクロマトグラフィー担体上に分離されている分析対象物質を、前記水素バーナーで形成された水素炎によって順次燃焼させる工程；
その水素炎から発生した光を、光導波路により分光手段に導き、この分光手段により特定波長の光のみを通過させ、その特定波長の光強度を分析する工程；及び
水素炎イオン化分析工程
を含むことを特徴とする、薄層クロマトグラフ用水素炎光度分析方法。
【発明の詳細な説明】
【０００１】
【発明の属する技術分野】
本発明は、薄層クロマトグラフ用の水素炎光度分析器及び水素炎光度分析方法に関する。本発明によれば、分析対象試料の分離手段として棒状の薄層クロマトグラフィー要素を用い、そしてその分離された分析対象物質の検出手段として水素炎を用いる薄層クロマトグラフ用分析技術において、前記水素炎から発生する光の特定波長における光強度を光分析器にて分析することにより、特定の元素（特にリン又はイオウ）などのヘテロ元素を含む化合物を選択的に検出することができる。
なお、本明細書における前記「分析」には、分析対象物の量を定量的又は半定量的に決定する「測定」と、分析対象物の存在の有無を判定する「検出」との両方が含まれる。
【０００２】
【従来の技術】
従来より、直径１ｍｍ程度の石英棒の表面にアルミナ、シリカゲル、又は珪藻土などの微粒子を薄層状に形成した薄層クロマトグラフィー要素上に、分析対象試料をスポットした後、適当な移動相（例えば、各種有機溶媒、水、酸、若しくはアルカリ、又はそれらの混合物）を毛細管現象により移動展開し、分析対象物質（又は分析対象物質成分）へと分離し、続いて、薄層クロマトグラフィー要素に残留する移動相を加熱などにより除去した後、水素炎イオン化検出器により分析対象物質（又は分析対象物質成分）を分析する薄層クロマトグラフが広く利用されてきた。
【０００３】
前記水素炎イオン化検出器は、炭素検出器とも称されており、一般的な有機化合物に対して広範に感度を示すため、広く利用されてきた。しかし、有機物全般に感度を示すという利点を持つ反面、特異性がないということが欠点にもなった。例えば、実際に分析する分析対象試料は多くの化合物や成分から構成されており、有機物質全般に感度がある水素炎イオン化検出器を用いた場合には、分析対象試料の中の目的の化合物や成分を完全に分離しなければ正確な分析を行なうことはできなかった。例えば、分析対象試料中のヘテロ元素（例えば、リン又はイオウなど）を含む化合物や成分のみを分析したい場合でも、他の化合物や成分と完全に分離する必要があり、分析対象試料中に目的の化合物や成分以外の共雑物質が多量に含まれている場合などは、時として目的の化合物や成分を分離することができず、それらが共雑物質の中に埋もれてしまい、分析が不可能な場合もあった。更に、水素炎イオン化検出器の欠点として、目的とする化合物や成分がヘテロ元素（例えば、リン、イオウ、又はハロゲンなど）を含む有機化合物であって、しかも、化合物の構成炭素数が少ない場合には、応答感度が極端に低下するため、場合によっては全く検出されないこともあった。このような背景から、炭素原子に対する応答以外に、ヘテロ元素に対して特異的に応答する検出器も併せて強く求められていた。
【０００４】
ガスクロマトグラフィーの分野では、従来より、種々の特異的検出器が考案され、広く用いられてきた。しかし、薄層クロマトグラフィーの分野では、ヘテロ元素を特異的に検出することができる実用レベルの検出器は、後述する唯一の市販品を除けば、今まで全く知られていない。なぜならば、ガスクロマトグラフにおいては、分析対象物質の装置への導入から検出に至る一連の行程が、連続したガスフロー回路内で処理されるため、密閉された検出器部分の構造は極めて単純で、種々の試みを容易に行なうことができた。一方、薄層クロマトグラフは、薄層クロマトグラフィー要素上に一次元空間的に分離配置された分析対象物質や成分を、何らかの検出手段にて走査検出する必要がある。従って、検出器は構造的に複雑であるために、種々の試みを容易に行うことができなかったからである。
【０００５】
しかも、基本原理がガスクロマトグラフの検出器と同じであっても、ガスクロマトグラフ用検出器で得られた種々の知見を、そのまま薄層クロマトグラフに適用して成功する保証は全くなかった。例えば、特公平５−４６３１号公報及び特公平５−１１９０５号公報に記載されている水素炎イオン化検出器からも明らかなように、ガスクロマトグラフの検出器をそのまま適応しようとしても、その構成要素の違いから、検出器の特性も大きく異なることもあり、実用性能を得るためには何らかの創意工夫が必要であった。このような理由から、前記のとおり、薄層クロマトグラフィーの分野では、ヘテロ元素を特異的に検出することができる実用レベルの検出器は、後述する唯一の市販品を除いて、今まで全く知られていなかったのである。
【０００６】
唯一の市販品は、構造が簡単な薄層クロマトグラフ用熱イオン化検出器である。しかしながら、この検出器では、不安定なアルカリ源が構成要素として不可欠であり、このアルカリ源（例えば、アルカリ金属塩）は、使用時間の経過とともにアルカリ金属がベーパーライズ（ｖａｐｏｒｉｚｅ）して消費されるため、応答信号も時間経過と共に減少し、しかも、減少速度が非常に速いため、検出結果の点で不安定であった。従って、この熱イオン化検出器では正確な分析結果を得ることができなかった。
【０００７】
【発明が解決しようとする課題】
これまで述べたように、薄層クロマトグラフィーの分野では、ヘテロ元素（例えば、リン又はイオウなど）を特異的に検出することができ、しかも、安定に動作する実用レベルの検出器は知られていなかった。従って、本発明の課題は、このような従来技術の欠点を解消し、ヘテロ元素（例えば、リン又はイオウなど）を特異的に分析することができ、しかも、安定で正確な分析結果を得ることが可能な薄層クロマトグラフ用の水素炎光度分析器及び水素炎光度分析方法を提供することにある。
【０００８】
【課題を解決するための手段】
前記課題は、本発明による、（１）水素炎を形成することのできる水素バーナー；
（２）薄層クロマトグラフィー要素のクロマトグラフィー担体上に分離されている分析対象物質を、前記水素バーナーで形成される水素炎によって順次燃焼させることができるように、前記薄層クロマトグラフィー要素及び／又は前記水素バーナーを所定速度で移動させることのできる移動手段；
（３）前記水素炎から発生する光を分光することのできる分光手段；及び
（４）前記分光手段により分光された光の強度を分析することのできる光分析手段
を含むことを特徴とする、薄層クロマトグラフ用水素炎光度分析器により解決することができる。
また、本発明は、薄層クロマトグラフィー要素及び／又は前記水素バーナーを所定速度で移動させることによって、前記薄層クロマトグラフィー要素のクロマトグラフィー担体上に分離されている分析対象物質を、前記水素バーナーで形成された水素炎によって順次燃焼させる工程；及び
その水素炎から発生した光の特定波長の強度を分析する工程
を含むことを特徴とする、薄層クロマトグラフ用水素炎光度分析方法に関する。
【０００９】
【発明の実施の形態】
以下、本発明の代表的態様を添付図面に沿って詳細に説明する。
図１は、本発明の薄層クロマトグラフ用水素炎光度分析器の分析原理を模式的に示す説明図である。
本発明による薄層クロマトグラフ用水素炎光度分析器１は、水素バーナー１１、薄層クロマトグラフィー要素１０の移動手段１７、光学フィルタ１２、及び光分析器１３を含む。
【００１０】
水素バーナー１１には、流量が正確に制御された水素ガス及び空気が導入され、水素炎１１ａを形成することができる。薄層クロマトグラフィー要素１０の移動手段１７、すなわち、薄層クロマトグラフィー要素用移動手段１７は、適当な把持手段１７ａによって薄層クロマトグラフィー要素１０を一端１０ａ（又は両端）で固定し、薄層クロマトグラフィー要素１０を所定速度（好ましくは一定速度）で水素炎１１ａへの方向（矢印Ａの方向）へ移動させ、薄層クロマトグラフィー要素１０のクロマトグラフィー担体上に分離されている分析対象物質を、水素炎１１ａによって順次燃焼させることができる。薄層クロマトグラフィー要素用移動手段は、薄層クロマトグラフィー要素１０を載置した状態で移動可能な走査テーブルであることもできる。
光学フィルタ１２は、水素炎１１ａが発生する光の中から、特定波長の光のみを透過することのできる分光手段である。また、光分析器１３は、光の強度を分析することができる。
【００１１】
本発明による薄層クロマトグラフ用水素炎光度分析器１は、前記水素バーナー１１によって形成される水素炎１１ａと、前記光学フィルタ１２との間に、光導波路１５を設けることができる。この光導波路１５は、前記棒状薄層クロマトグラフィー要素１０上に分離されている各種の分析対象物質（又は成分）の燃焼により生じる水素炎の光を取り出し、その光を前記光学フィルタ１２を経由して、前記光分析器１３に導くことができる。前記光分析器１３には、必要により、記録計１４及び／又は表示計（図示せず）を接続することができる。
【００１２】
また、薄層クロマトグラフ用水素炎光度分析器１には、所望により、前記光分析器１３の受光面を保護するためのメカニカルシャッタ１６を設けることができる。薄層クロマトグラフィー要素１０の交換などにより前記光分析器１３が開放状態にあり、外界からの自然光が入射するような場合に、メカニカルシャッター１６を閉じると、前記光分析器１３の受光面を保護することができる。なお、外界からの自然光が入射する機会が頻繁に発生しない装置の場合には、このメカニカルシャッター１６を設ける必要はない。
【００１３】
なお、前記水素バーナー１１を適当な移動手段１８の上に固定して、水素バーナー１１の方を薄層クロマトグラフィー要素１０に沿って移動させることもできるし、水素バーナー１１と薄層クロマトグラフィー要素１０との両方を移動させることもできる。水素バーナー１１を移動させる場合には、前記移動手段１８の上に水素バーナー１１を固定するだけでなく、前記光学フィルタ１２及び前記光分析器１３と、場合により前記光導波路１５、前記メカニカルシャッタ１６、及び前記記録計１４を同時に前記移動手段１８の上に固定するか、あるいは同期して移動可能な別の移動手段に固定し、それらの各手段を水素バーナー１１と同時に移動させるのが好ましい。
【００１４】
本発明の薄層クロマトグラフ用水素炎光度分析方法は、例えば、図１に示す薄層クロマトグラフ用水素炎光度分析器１を用いて、以下の手順で実施することができる。
まず、分析対象試料に含まれる各種化合物や各種成分の分離を実施した後の棒状薄層クロマトグラフィー要素１０を、薄層クロマトグラフィー要素用移動手段１７（あるいは、走査テーブル）上に固定する。続いて、水素バーナー１１を着火し、水素炎１１ａを形成させる。この状態のまま、薄層クロマトグラフィー要素用移動手段１７を矢印Ａで示す方向に所定速度（好ましくは一定速度）で移動させることにより、水素炎１１ａの中へ、棒状薄層クロマトグラフィー要素１０を通過させる。棒状薄層クロマトグラフィー要素１０が水素炎１１ａ中を通過する際に、その表面に分離されている各種の分析対象物質や成分が順次燃焼すると、分析対象物質や成分の種類や量の差異に応じて、水素炎１１ａから発生する光における種々の波長成分の光強度が変化する。そこで、水素炎１１ａから発生する光を光導波路１５により光学フィルタ１２に導き、この光学フィルタ１２によって所望の波長の光のみを通過させ、更に所望の波長の光を光分析器１３まで誘導してその光強度を分析し、記録計１４に記録するか、適当な表示計で表示することができる。
【００１５】
１つの棒状薄層クロマトグラフィー要素１０を水素炎１１ａで燃焼している際に、複数の特定波長の光強度を同時に分析する場合は、透過波長の異なる複数の光学フィルタ１２を設け、それらの光学フィルタ１２を通過した光をそれぞれの光分析器１３に誘導して、各々の光強度を同時に分析することができる。複数の光学フィルタ１２を設ける代わりに、１つのプリズムを設けて、種々の波長に分光することもできる。
【００１６】
本発明による薄層クロマトグラフ用の水素炎光度分析器又は水素炎光度分析方法において用いることのできる薄層クロマトグラフィー要素の形状は、棒状である限り特に限定されるものではなく、例えば、横断面が多角形（例えば、正方形又は長方形）である角柱状、あるいは、横断面が円又は楕円である円柱状であることができる。
また、大きさも限定されるものではないが、例えば、長さが３〜３０ｃｍであり、幅（あるいは直径）が０．５〜５ｍｍである棒状形状であることが好ましい。長さが３０ｃｍを越えると、毛細管現象による移動相の移動展開が困難となり、実用的でないことがある。また、幅（あるいは直径）が５ｍｍを越えると、薄層クロマトグラフィー要素の熱容量が大きくなりすぎて、分離成分が焼け残ることがあるためである。
【００１７】
前記薄層クロマトグラフィー要素は、一般に、支持体とその上に設けられたクロマトグラフィー担体（すなわち、薄層）とからなる。支持体としては、例えば、耐熱性セラミックス（例えば、石英ガラス、アルミナ、又はジルコニアなど）を用いることができる。薄層素材としては、例えば、シリカゲル、アルミナ、珪藻土、又はヒドロキシアパタイトを用いることができる。
【００１８】
本発明の薄層クロマトグラフ用水素炎光度分析器に用いることのできる薄層クロマトグラフィー要素用移動手段は、棒状薄層クロマトグラフィー要素を軸方向に移動することが可能であり、所定速度（好ましくは一定速度）にて移動可能である限り、特に限定されるものではなく、例えば、表面上に薄層クロマトグラフィー要素を載置可能であって、薄層クロマトグラフィー要素の軸方向に移動可能なテーブル（例えば、走査テーブル）、あるいは、薄層クロマトグラフィー要素の一方（又は両方）の端部で薄層クロマトグラフィー要素を固定可能であって、薄層クロマトグラフィー要素の軸方向に移動可能なチャックなどを挙げることができる。前記薄層クロマトグラフィー要素用移動手段の駆動手段としては、例えば、直流モータ、交流モータ、リニアモータ、又はパルスモータなどを挙げることができ、これらの駆動手段は、水素バーナー用移動手段の駆動手段としても使用することができる。
【００１９】
本発明の薄層クロマトグラフ用水素炎光度分析器に用いることのできる分光手段は、目的とするヘテロ元素の発光波長に応じて適宜選択することができ、例えば、光学フィルター（例えば、ローパス、ハイパスフィルタ、又はバンドパスフィルター）、プリズム、又は回折格子を挙げることができる。操作が簡便で安価である点で、光学フィルター（特にはバンドパスフィルター）を用いることが好ましい。
例えば、リンを燃焼させた場合には５２６ｎｍ付近に強い発光を示すので、５２１〜５３１ｎｍのバンドパスフィルターを用いることができる。また、イオウでは３９４ｎｍ付近に、広い波長範囲に亘り、強い発光を示すので、３８６〜４０２ｎｍのバンドパスフィルターを用いることができる。
【００２０】
本発明の薄層クロマトグラフ用水素炎光度分析器に用いることのできる光分析手段としては、例えば、光電子増倍管、ＣＣＤ（ｃｈａｒｇｅ  ｃｏｕｐｌｅｄｄｅｖｉｃｅ）、又は高感度フォトダイオードなどを挙げることができる。バイアルカリ系光電面を持つ光電子増倍管は、感度も高く、暗電流も低いことから、特に好ましい。
【００２１】
図１に示す態様においては、水素炎１１ａから発生する光を光学フィルタ１２へ導くために、光導波路１５を使用しているが、光導波路は、本発明の薄層クロマトグラフ用水素炎光度分析器において必ずしも設ける必要はなく、水素炎の光を直接、分光手段により分光することもできる。なお、図１に示すように、光導波路１５を設けることが、以下の理由により好ましい。
例えば、後述する実施例で使用する図２に示す本発明の薄層クロマトグラフ用水素炎光度分析器のように、水素炎イオン化分析器も具備したデュアル分析器である場合には、水素炎近傍は、電極などの構成要素が密集することになるので、分光手段及び光分析手段を水素炎近傍に設けることが困難であるだけでなく、仮に設けることができても、保守点検などの点で不都合が生じることがある。一方、折り曲げ自在な光導波路を利用することにより、水素炎の光を分光手段まで伝送すると、密集した水素炎近傍に分光手段及び光分析手段などをあえて設置する必要がなくなり、保守点検などが便利になる。
また、Ｗ．Ｐ．Ｃｏｃｈｒａｎｅ，Ｒ．ＧｒｅｅｎＨａｌｇｈ，Ｃｈｒｏｍａｔｏｇｒａｐｈｉａ，Ｖｏｌ．９，Ｎｏ．６，Ｊｕｎｅ，１９７６の第２６０頁に記載のガスクロマトグラフ用分析器では、燃焼室内の炎の光を光ファイバーにて光電子増倍管まで伝送することにより、光電子増倍管及びフィルターと熱発生源とを分離し、熱の影響を回避しているが、これと同様の効果を期待することができる。
【００２２】
【実施例】
以下、実施例によって本発明を具体的に説明するが、これらは本発明の範囲を限定するものではない。
【実施例１】
《食品添加用大豆レシチン製剤の薄層クロマトグラフィー》
本実施例では、図２に示す本発明の薄層クロマトグラフ用水素炎光度分析器の一態様を用いた。
図２は、本発明の薄層クロマトグラフ用水素炎光度分析器の一態様を模式的に示す説明図である。なお、図２に示す薄層クロマトグラフ用水素炎光度分析器１は、水素炎イオン化分析器も具備したデュアル分析器である。
【００２３】
図２に示す薄層クロマトグラフ用水素炎光度分析器１は、水素バーナー１１；薄層クロマトグラフィー要素用移動手段としての走査テーブル（図示せず）；光の強度を分析することのできる光分析器１３；前記光分析器１３により得られた分析値（光電流値）を記録することのできる記録計１４；棒状薄層クロマトグラフィー要素１０上に分離されている各種の分析対象物質の燃焼により生じる水素炎の光を取り出し、前記光分析器１３に導くことのできる光導波路１５；分光手段としての光学フィルタ１２；及び前記光分析器１３の受光面を保護するためのメカニカルシャッタ１６を含む。
水素炎イオン化分析のために、図２に示す薄層クロマトグラフ用水素炎光度分析器１は、更に、高電圧電源２３により負の高電圧を印加されている電極２１；前記電極２１と水素バーナー１１との間に流れるイオン電流を、水素炎イオン化分析器の信号として記録することのできる記録計２４；及び第３の電極２２を含む。前記の第３電極２２は、グランドに接続され、外来ノイズを防ぐとともに水素炎の電位分布を調節することができる。
【００２４】
レシチンは１分子中に１個のリン酸ジエステルを持つので、リンの発光を分析するために、分光手段の光学フィルターとして、５２６ｎｍのバンドパスフィルターを用いた（リンは５２６ｎｍ付近に強い発光を示す）。また、光導波路１５として、直径３ｍｍで長さ３０ｃｍの溶融石英製光ファイバーを用いた。光分析手段１３として、浜松ホトニクス製光電子増倍管Ｈ５７８３を用いた。棒状薄層クロマトグラフィー要素１０としては、薄層がシリカゲル製のクロマロッドＳ−III（長さ＝１５ｃｍ，直径＝１．１ｍｍ：ヤトロン製）を用いた。分析対象試料として、市販の食品添加用大豆レシチン製剤を用いた。
【００２５】
前記分析対象試料をクロロホルム／メタノール混合物（クロロホルム：メタノール＝２：１）にて２０ｍｇ／ｍＬになるように溶解し、その溶液１μＬを棒状薄層クロマトグラフィー要素１０にスポットした。この棒状薄層クロマトグラフィー要素１０を移動相（クロロホルム：メタノール：水＝４０：２０：２）にて展開し、前記分析対象試料を各成分に分離した。次に、１１０℃に加熱した乾燥機に棒状薄層クロマトグラフィー要素１０を３分間入れ、棒状薄層クロマトグラフィー要素１０上に残留する移動相を完全に除去した。この棒状薄層クロマトグラフィー要素１０を薄層クロマトグラフ用水素炎光度分析器１の移動手段にセットし、バーナー１１の水素流量が１６０ｍＬ／ｍｉｎであり、空気流量が５００ｍＬ／ｍｉｎであり、棒状薄層クロマトグラフィー要素１０の移動速度が１２０ｍｍ／３０ｓｅｃである条件で、水素炎イオン化分析器及び水素炎光度分析器１にて同時に測定を行った。
【００２６】
得られた薄層クロマトグラムを図３に示す。図３において、細線で示す曲線ａは、水素炎イオン化分析器のクロマトグラムであり、太線で示す曲線ｂは、水素炎光度分析器のクロマトグラムである。イオン電流値による高さ（縦軸）によって表される測定対象物質存在量と、光電流値による高さ（縦軸）によって表される測定対象物質存在量とが、ほぼ同一となるように調整して、両方のクロマトグラムを重ねて表示してある。また、ピーク１は中性脂質であり、ピーク２がレシチンである。ピーク１はリンを含まないため、水素炎イオン化分析器では大きなピークとなっているが、水素炎光度分析器ではほとんど検出されていない。ピーク２はレシチンであり、リンを含むため、水素炎イオン化分析器及び水素炎光度分析器の両方で応答があった。更に、水素炎光度分析器では、ピーク１及びピーク２の間と、ピーク２の後方とに、水素炎イオン化分析器では現れていないピークを検出した。特にピーク２の後方にある大きなピーク（炭素数がわずかなレシチンの分解物、あるいは、無機リン化合物と考えられる）は、非常に大きなピークであり、含有量もかなり有るものと思われるが、従来の水素炎イオン化分析器のみでは全く検出することができなかった。
【００２７】
【実施例２】
《アミノ酸混合物の薄層クロマトグラフィー》
本実施例では、図２に示す本発明の薄層クロマトグラフ用水素炎光度分析器１を用いた。アミノ酸の中にはイオウを含むものがあり、イオウの発光を分析するために、分光手段の光学フィルターとして、３９４ｎｍのバンドパスフィルターを用いた（イオウは３９４ｎｍ付近に、広い波長範囲に亘り、強い発光を示す）。その他の条件は全て実施例１と同じであった。
【００２８】
分析対象物質としては、自家調製したアミノ酸混合物質（トリプトファン、メチオニン、グルタミン酸、及びホモシステインの混合物）を用い、希アンモニア水にて全アミノ酸の濃度が２０ｍｇ／ｍＬになるように調製した。この混合液１μＬを棒状薄層クロマトグラフィー要素１０にスポットし、移動相（アセトニトリル：水：２５％アンモニア＝５５：１５：０．８６）にて展開分離した。次に、１１０℃に加熱した乾燥機に棒状薄層クロマトグラフィー要素１０を３分間入れ、棒状薄層クロマトグラフィー要素１０上に残留する移動相を完全に除去した。この棒状薄層クロマトグラフィー要素１０を薄層クロマトグラフ用水素炎光度分析器１の移動手段にセットし、バーナー１１の水素流量が１６０ｍＬ／ｍｉｎであり、空気流量が５００ｍＬ／ｍｉｎであり、棒状薄層クロマトグラフィー要素１０の移動速度が１２０ｍｍ／３０ｓｅｃである条件で、水素炎イオン化分析器及び水素炎光度分析器にて同時に測定を行った。
【００２９】
得られた薄層クロマトグラムを図４に示す。図４において、細線で示す曲線ａは、水素炎イオン化分析器のクロマトグラムであり、太線で示す曲線ｂは、水素炎光度分析器のクロマトグラムである。イオン電流値による高さ（縦軸）によって表される測定対象物質存在量と、光電流値による高さ（縦軸）によって表される測定対象物質存在量とが、ほぼ同一となるように調整して、両方のクロマトグラムを重ねて表示してある。また、ピーク１はトリプトファンであり、ピーク２はメチオニンであり、ピーク３はグルタミン酸であり、ピーク４はホモシステインである。
４種のアミノ酸の内、イオウを含むアミノ酸は、ピーク２のメチオニン及びピーク４のホモシステインであり、水素炎光度分析器では、イオウを含んだアミノ酸を選択的に検出することができた。
【００３０】
【発明の効果】
本発明では、棒状薄層クロマトグラフィー要素上に分離された分析対象試料の各化合物又は各成分を水素炎にて燃焼させ、そのとき発生するヘテロ元素由来の発光の強度を測定することにより、分析対象試料中の各化合物又は各成分に含まれるヘテロ元素を特異的に分析することができ、また、水素炎イオン化分析器では分析することができなかった成分をも分析することができる。更に、熱イオン化分析器のように時間経過とともに消費される構成要素を持たないため、安定で正確な分析結果を得ることができる。
【図面の簡単な説明】
【図１】本発明の薄層クロマトグラフ用水素炎光度分析器の分析原理を模式的に示す説明図である。
【図２】本発明の薄層クロマトグラフ用水素炎光度分析器の別の一態様を模式的に示す説明図である。
【図３】本発明の薄層クロマトグラフ用水素炎光度分析器により、市販の食品添加用大豆レシチン製剤を分析した結果を示す薄層クロマトグラムである。
【図４】本発明の薄層クロマトグラフ用水素炎光度分析器により、アミノ酸の混合物を分析した結果を示す薄層クロマトグラムである。
【符号の説明】
１・・・薄層クロマトグラフ用水素炎光度分析器；
１０・・・棒状薄層クロマトグラフィー要素；
１０ａ・・・薄層クロマトグラフィー要素の端部；１１・・・水素バーナー；
１１ａ・・・水素炎；１２・・・光学フィルタ；１３・・・光分析器；
１４・・・記録計；１５・・・光導波路；１６・・・メカニカルシャッター；
１７・・・薄層クロマトグラフィー要素用移動手段；１７ａ・・・把持手段；
１８・・・水素バーナー用移動手段；２１・・・電極；
２２・・・第３の電極；２３・・・高電圧電源；２４・・・記録計。
【図１】
0004612936.tif 000002
【図２】
0004612936.tif 000003
【図３】
0004612936.tif 000004
【図４】
0004612936.tif 000005